(57)【要約】【課題】人物の状況に基づき送信された救援信号を、分散して伝播する緊急通報システムを提供する。【解決手段】緊急通報システム１０は、緊急信号送信装置２０と複数の通信装置１００とが無線により接続され、緊急信号送信装置２０は、人物の生体情報を検出するセンシング装置５０Ａと、検出した生体情報に基づき、人物の状況を分析する状況分析部２６と、分析に基づき、人物への救援を要求する救援信号を生成する送信データ生成部３０と、生成した救援信号を第１の電波に重畳して送信する送信部３２と、を備え、通信装置１００のそれぞれは、第１の電波を受信して救援信号を抽出する受信部１０４と、抽出した救援信号を解析して、人物の救援に関する情報を作成する解析部１１２と、作成した情報を出力する表示部１１８と、少なくとも救援信号を第２の電波に重畳し、他の通信装置に送信する送信部１０２と、を備え、救援信号は通信装置間を順次伝播する。【選択図】図１
2009301457.tif 000002
【特許請求の範囲】
【請求項１】
救援を要請する信号を送信する送信装置と、前記信号を受信する複数の通信装置とが無線により接続された救援システムであって、
前記送信装置は、
人物の生体情報を検出する検出部と、
前記検出部が検出した生体情報に基づき、前記人物の状況を分析する分析部と、
前記分析部による分析結果に基づき、前記人物への救援を要求する救援信号を生成する生成部と、
前記生成した救援信号を第１の電波に重畳して送信する送信部（Ａ）と、を備え、
前記複数の通信装置のそれぞれは、
前記第１の電波を受信して、前記第１の電波に含まれる前記救援信号を抽出する受信部と、
前記抽出した救援信号を解析して、前記人物の救援に関する情報を作成する解析部と、
前記作成した情報を出力する出力部と、
少なくとも前記救援信号を第２の電波に重畳し、他の通信装置に送信する送信部（Ｂ）と、を備え、
前記救援信号は、一方の前記通信装置から他方の前記通信装置に順次伝播することを特徴とする救援システム。
【請求項２】
請求項１に記載の救援システムにおいて、
前記検出部は、衝撃を検出する検出手段を備え、
前記生体情報は、前記検出手段が前記衝撃を検出するのを契機に検出されることを特徴とする救援システム。
【請求項３】
請求項１乃至２のいずれかに記載の救援システムにおいて、
前記生体情報の少なくとも一部は、暗号化されていることを特徴とする救援システム。
【請求項４】
請求項１乃至３のいずれか１項に記載の救援システムにおいて、
前記送信装置は、前記人物に関する個人情報を記憶する記憶手段を更に備えることを特徴とする救援システム。
【請求項５】
請求項１乃至４のいずれか１項に記載の救援システムにおいて、
前記通信装置は、前記救援信号が順次中継されるに従い、前記救援信号に救援を更に要請する情報を付加し、前記送信部（Ｂ）から前記第２の電波に重畳して送信することを特徴とする救援システム。
【請求項６】
請求項１乃至５のいずれか１項に記載の救援システムにおいて、
前記通信装置は、救援の実行を検出する検出手段を更に備え、前記救援の実行に応じて、前記救援信号を他の通信装置に送信することを特徴とする救援システム。
【請求項７】
人物の生体情報を検出する検出部と、
前記検出部が検出した生体情報に基づき、前記人物の状況を分析する分析部と、
前記分析部による分析結果に基づき、前記人物への救援を要求する救援信号を生成する生成部と、
前記生成した救援信号を電波に重畳して送信する送信部と、を備えることを特徴とする送信装置。
【請求項８】
人物の救援を要請する救援信号を含む第１の電波を受信する通信装置であって、
前記第１の電波を受信して、前記第１の電波に含まれる前記救援信号を抽出する受信部と、
前記抽出した救援信号を解析して、前記人物の救援に関する情報を作成する解析部と、
前記作成した情報を出力する出力部と、
少なくとも前記救援信号を第２の電波に重畳し、他の通信装置に送信する送信部と、を備えることを特徴とする通信装置。
【発明の詳細な説明】
【技術分野】
【０００１】
本発明は、危険な状況を第三者に通報して救援を求める救援システム、送信装置および通信装置に関する。
【背景技術】
【０００２】
事件や事故に巻き込まれたり、巻き込まれそうになったりして、人物が危険な状況に陥った場合、自身の状況や居場所等の情報を、所定の連絡先に知らせる装置として、下記特許文献１に示すような発信器が提案されている。このような装置は、人物が携帯し、危険な状況に陥った場合、スイッチとしてのボタンを押下することで、発信器から助けを求める音声が発生されると共に、発信器から信号電波が送信される。
【０００３】
【特許文献１】特開平１１−４５３７６号公報
【発明の開示】
【発明が解決しようとする課題】
【０００４】
しかしながら、上記の発信器では、人物によるボタンの押下を契機として、危険な状態であることを周囲に知らせ、音声や無線で救援を求めるため、重い病気の発作や暴漢の急襲のような突然のアクシデントが発生した場合、発信器のボタンを探して押下することは困難であった。また、周囲に人物がいない場合や、電波状態の悪い場所では、発信器から出力される音声や信号電波が第三者に届かないことがあった。
【課題を解決するための手段】
【０００５】
本発明は、上述の課題の少なくとも一部を解決するためになされたものであり、以下の形態または適用例として実現することが可能である。
【０００６】
［適用例１］
本適用例にかかる救援システムは、救援を要請する信号を送信する送信装置と、前記信号を受信する複数の通信装置とが無線により接続された救援システムであって、前記送信装置は、人物の生体情報を検出する検出部と、前記検出部が検出した生体情報に基づき、前記人物の状況を分析する分析部と、前記分析部による分析結果に基づき、前記人物への救援を要求する救援信号を生成する生成部と、前記生成した救援信号を第１の電波に重畳して送信する送信部（Ａ）と、を備え、前記複数の通信装置のそれぞれは、前記第１の電波を受信して、前記第１の電波に含まれる前記救援信号を抽出する受信部と、前記抽出した救援信号を解析して、前記人物の救援に関する情報を作成する解析部と、前記作成した情報を出力する出力部と、少なくとも前記救援信号を第２の電波に重畳し、他の通信装置に送信する送信部（Ｂ）と、を備え、前記救援信号は、一方の前記通信装置から他方の前記通信装置に順次伝播することを特徴とする。
【０００７】
このような構成によれば、送信装置は、人物の生体情報を検出して、この人物への救援を必要とするような状況を分析し、分析に基づいて救援信号を生成して送信する。他方で、通信装置は、救援信号を受信して、人物の救援に関する情報を出力すると共に、救援信号を他の通信装置に送信することで、救援信号を通信装置間で順次伝播する。従って、救援を求める動作の有無に関係なく、人物の生体情報に基づく分析から救援信号が送信されるため、人物が突然のアクシデントに遭遇し、救援信号の送信操作ができないような場合でも救援信号を確実に送信できる。また、通信装置は、受信した救援信号の内容を表示すると共に、救援信号を他の通信装置に順次伝播するため、救援信号は分散して伝わることから、多くの通信装置に対して、救援信号が送信されたことを確実に知らせることができる。
【０００８】
［適用例２］
上記適用例にかかる救援システムにおいて、前記検出部は、衝撃を検出する検出手段を備え、前記生体情報は、前記検出手段が前記衝撃を検出するのを契機に検出されることが好ましい。
【０００９】
このような構成によれば、衝撃の検出を契機に生体情報が検出されるため、送信装置が消費する電力を低減できる。
【００１０】
［適用例３］
上記適用例にかかる救援システムにおいて、前記生体情報の少なくとも一部は、暗号化されていることが好ましい。
【００１１】
このような構成によれば、暗号化により外部への生体情報の漏洩を防止できる。
【００１２】
［適用例４］
上記適用例にかかる救援システムにおいて、前記送信装置は、前記人物に関する個人情報を記憶する記憶手段を更に備えることが好ましい。
【００１３】
このような構成によれば、記憶された個人情報を参照することで、人物に応じて状況を分析できると共に、人物に応じた救援信号を生成できる。
【００１４】
［適用例５］
上記適用例にかかる救援システムにおいて、前記通信装置は、前記救援信号が順次中継されるに従い、前記救援信号に救援を更に要請する情報を付加し、前記送信部（Ｂ）から前記第２の電波に重畳して送信することが好ましい。
【００１５】
このような構成によれば、救援信号の伝達状況に応じて情報を付加し、救援を要請できる。
【００１６】
［適用例６］
上記適用例にかかる救援システムにおいて、前記通信装置は、救援の実行を検出する検出手段を更に備え、前記救援の実行に応じて、前記救援信号を他の通信装置に送信することが好ましい。
【００１７】
このような構成によれば、救援の状況に応じて、他の通信装置への救援信号を送信できる。
【００１８】
［適用例７］
本適用例にかかる送信装置は、人物の生体情報を検出する検出部と、前記検出部が検出した生体情報に基づき、前記人物の状況を分析する分析部と、前記分析部による分析結果に基づき、前記人物への救援を要求する救援信号を生成する生成部と、前記生成した救援信号を電波に重畳して送信する送信部と、を備えることを特徴とする。
【００１９】
このような構成によれば、送信装置は、人物の生体情報を検出して、この人物への救援を必要とするような状況を分析し、分析に基づいて救援信号を生成して送信できる。従って、救援を求める動作の有無に関係なく、人物の生体情報に基づく分析から救援信号が送信されるため、人物が突然のアクシデントに遭遇し、救援信号の送信操作ができないような場合でも救援信号を確実に送信できる。
【００２０】
［適用例８］
本適用例にかかる送信装置は、人物の救援を要請する救援信号を含む第１の電波を受信する通信装置であって、前記第１の電波を受信して、前記第１の電波に含まれる前記救援信号を抽出する受信部と、前記抽出した救援信号を解析して、前記人物の救援に関する情報を作成する解析部と、前記作成した情報を出力する出力部と、少なくとも前記救援信号を第２の電波に重畳し、他の通信装置に送信する送信部と、を備えることを特徴とする。
【００２１】
このような構成によれば、通信装置は、救援信号を受信して、人物の救援に関する情報を出力すると共に、救援信号を他の通信装置に送信することで、救援信号を通信装置間で順次伝播する。従って、受信した救援信号の内容を表示すると共に、救援信号を他の通信装置に順次伝播するため、救援信号は分散して伝わることから、多くの通信装置に対して、救援信号が送信されたことを確実に知らせることができる。
【発明を実施するための最良の形態】
【００２２】
以下、救援システムの一形態として、緊急通報システムについて図面を参照して説明する。
【００２３】
（実施形態）
図１は、緊急通報システム１０の機能構成を説明するブロック図である。この緊急通報システム１０は、人物の各部に装着するセンシング装置５０Ａ，５０Ｂと、その人物が携帯する緊急信号送信装置２０と、別の人物が携帯する通信装置１００を備える。センシング装置５０Ａ，５０Ｂは、身に付けて持ち歩き可能な装置であり、例えば、メガネの様態で頭部に装着されたり、腰バンドによる固定や胸ポケットに入れることで胴体部に装着されたり、腕時計の様態や靴に組み込むことで腕部や脚部に装着されたりする。
最初に、センシング装置５０Ａ，５０Ｂについて説明するが、これらは同一の構造であるため、以降、代表してセンシング装置５０Ａについて説明する。尚、センシング装置５０Ａ，５０Ｂは２台に限定されるものでは無く、１台もしくは３台以上であっても良い。このセンシング装置５０Ａは、センサ群６０Ａと送受信部８０Ａを備える。ここで、図２は、センサ群６０Ａの構成を示す図である。センサ群６０Ａは、基本センサ群１５０とバイタル情報検出センサ群１６０で構成される。基本センサ群１５０は、位置検出センサ１５２、衝撃転倒検出センサ１５４および時刻検出センサ１５６を備える。また、バイタル情報検出センサ群１６０は、心拍検出センサ１６２、血圧検出センサ１６４、心電検出センサ１６６、血糖検出センサ１６８、姿勢検出センサ１７０、マイク１７２およびカメラ１７４を備える。尚、これらのセンサは、取得したい情報に応じて、追加や除去を含む選択が可能である。
【００２４】
位置検出センサ１５２は、本実施形態ではＧＰＳ（Ｇｌｏｂａｌ  Ｐｏｓｉｔｉｏｎｉｎｇ  Ｓｙｓｔｅｍ）受信装置を適用する。また、衝撃転倒検出センサ１５４は、衝撃や転倒を検出する検出手段であり、加速度センサを適用する。時刻検出センサ１５６は、水晶振動子の振動を用いて計時するクオーツ時計装置を適用する。心拍検出センサ１６２、血圧検出センサ１６４、心電検出センサ１６６および血糖検出センサ１６８は、例えば、特開２００６−２６３９６号公報や特開２００７−４４４９１号公報で開示されているような腕時計型のセンサ装置を適用する。また、姿勢検出センサ１７０は、ジャイロセンサを適用する。
図１に戻り、送受信部８０Ａは、緊急信号送信装置２０との間で、各センサの信号を含むセンシングデータ信号を送受信する。センシングデータ信号の送受信は、有線であっても良く、無線であっても良い。無線による場合、例えば、２．４ＧＨｚのＩＳＭ（Ｉｎｄｕｓｔｒｉａｌ  Ｓｃｉｅｎｔｉｆｉｃ  Ｍｅｄｉｃａｌ）バンド帯域の電波を使用しても良い。尚、センサ群６０Ａの各センサは、少なくとも衝撃転倒検出センサ１５４を除いて、通常状態では電源が切られており、衝撃転倒検出センサ１５４による衝撃や転倒の検出を契機に、他のセンサに対して電源が供給されて起動される。また、緊急信号送信装置２０からセンサ起動の信号を受信した場合も、他のセンサに対して電源が供給され起動される。
【００２５】
次に、緊急信号送信装置２０について説明する。緊急信号送信装置２０は、送受信部２２、センサ信号抽出部２４、状況分析部２６、データベース２８、送信データ生成部３０、送信部３２およびアンテナ３４を備える。送受信部２２は、センシング装置５０Ａ，５０Ｂとの間でセンシングデータ信号等を送受信する。センサ信号抽出部２４は、受信したセンシングデータ信号から各センサの信号を抽出する。また、必要に応じて、センシング装置５０Ａ，５０Ｂの休止しているセンサに対して起動信号を作成し、送受信部２２から送信する。状況分析部２６は、抽出した各センサの信号およびデータベース２８に保持された情報から、センシング装置５０Ａ，５０Ｂを装着している人物の危険度を分析する。例えば、人物が受けた衝撃の強さや、バイタル情報の変動から、極めて危険な状態で救援が必要であると分析したり、衝撃は弱いが、高齢者であるため救援が必要であると分析したりする。データベース２８は、種々の情報を記憶可能な記憶手段であり、危険な状況に関する過去の情報は、このデータベース２８に保持される。また、このデータベース２８には、この緊急信号送信装置２０を保持する人物に関する情報も保持されている。本実施形態では、このような情報は、この人物のパーソナルデータ、標準バイタル値、既往症に関する情報を含み、これらのプライバシーに関する情報は、データベース２８において暗号化されている。
【００２６】
送信データ生成部３０は、救援が必要であると分析された場合、通信装置１００に通知すべく、フラグ情報を含む通信信号を生成する。本実施形態では、通信装置１００に初めて通知する場合、フラグ情報として、人物の状態、緊急度、発生場所および発生時刻、バイタル情報および送信履歴等を含む。また、通信装置１００に繰り返して通知する場合、フラグ情報は、初めて通知する場合の情報に加えて、暗号化されたプライバシーに係わる情報も含む。このように、フラグ情報として含む情報は、緊急信号送信装置２０を保持する人物が事前に決定できる。送信部３２は、生成された通信信号をアンテナ３４から電波等を介して送信する。尚、通信の方式は限定されない。本実施形態では、緊急信号送信装置２０は、移動体の通信携帯端末に組み込まれており、所定の通信方式で全２重に通信できる。
【００２７】
次に、通信装置１００について説明する。この通信装置１００は、緊急信号送信装置２０から受信した通信信号を受信して、通信信号の内容を表示すると共に、通信信号を受信して所定時間に渡り、何らかの行動が取られない場合、受信した通信信号を必要に応じて修正し、修正した通信信号を他の通信装置１００に対して送信する。この通信装置１００は、送信部１０２、受信部１０４、判定部１０６、操作部１０８、センサ１１０、解析部１１２、データベース１１４、表示データ作成部１１６、表示部１１８およびアンテナ１２０を備える。尚、この通信装置１００は、人物が携帯可能な様態に限定されず、後述する中継機能に限定して、街中の電柱や信号機等に設置されても良い。このような通信装置１００は、近距離の通信を想定し、ＵＷＢ（Ｕｌｔｒａ  Ｗｉｄｅ  Ｂａｎｄ）方式のように、電波信号を短パルスで広帯域のパルスを用いて通信しても良く、また、ＰＨＳ（Ｐｅｒｓｏｎａｌ  Ｈａｎｄｙｐｈｏｎｅ  Ｓｙｓｔｅｍ）方式のように、小電力なマルチチャンネルアクセス無線による通信であっても良い。
【００２８】
受信部１０４は、アンテナ１２０を介して緊急信号送信装置２０から送信された通信信号を受信する。解析部１１２は、受信した通信信号に含まれるフラグ情報を抽出して解析する。その際、解析部１１２は、データベース１１４に保持されたフラグのプロトコルに関する情報を参照する。解析部１１２で解析されたフラグの情報は、表示データ作成部１１６で適切な文章に変換され、情報を出力する出力部である表示部１１８に表示される。尚、変換された文章は、表示のみにより出力されるものではなく、音声により読み上げられて出力されても良い。また、解析部１１２で解析されたフラグの情報は、判定部１０６に送られる。判定部１０６は、フラグの情報、操作部１０８の操作指示およびセンサ１１０から得られる情報に基づいて、中継機能として通信信号の再送信の可否を判定する。
尚、このセンサ１１０は、緊急信号送信装置２０の保持者による救援を検出する検出手段であり、センサ１１０から得られる情報とは、この緊急信号送信装置２０の保持者の行動に関する情報であって、緊急信号送信装置２０から通信信号を受信した後、緊急信号送信装置２０に向かっての移動や、センシング装置５０Ａ，５０Ｂを装着した人物を救援するための動作に関する情報である。送信部１０２は、判定部１０６が送信を決定した場合、必要に応じて修正した通信信号を含む電波をアンテナ１２０から送信する。
上述したセンシング装置５０Ａ，５０Ｂ、緊急信号送信装置２０および通信装置１００は、図示を略したＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等を備え、これらのハードウェアと、ＲＯＭ等に保持されたソフトウェアとが協働することにより、上記した機能を実現する。また、データベース２８，１１４は、フラッシュメモリ等のように取り外し可能な記憶媒体上に構成されても良い。尚、センシング装置５０Ａ，５０Ｂ、緊急信号送信装置２０および通信装置１００は、防水処理や防塵処理が施され、厳しい自然環境下においても稼動するように製造されている。
【００２９】
図３は、緊急信号送信装置２０の動作の流れを説明するフローチャートである。最初に、緊急信号送信装置２０は、対象人物の生体情報を含むセンシングデータを、センシング装置５０Ａ，５０Ｂから受信して取得する（ステップＳ２００）。次に、緊急信号送信装置２０は、センシングデータから各センサの信号を抽出して、各センサの情報に基づき、対象人物の危険度を判断する（ステップＳ２０２）。ここで、緊急信号送信装置２０が危険な状態ではない、と判断した場合（ステップＳ２０４でＮｏ）、最初の工程であるステップＳ２００に戻る。
【００３０】
他方で、緊急信号送信装置２０が危険な状態である、と判断した場合（ステップＳ２０４でＹｅｓ）、緊急信号送信装置２０は、通信装置１００に対して送信する通信信号の内容を決定する（ステップＳ２０６）。続いて、緊急信号送信装置２０は、センシングデータを検出する時間間隔（検出インターバル）を決定する（ステップＳ２０８）。次に、緊急信号送信装置２０は、通信装置１００に通信信号を送信する（ステップＳ２１０）。続いて、検出インターバルに基づいて、緊急信号送信装置２０は、所定の時間待機する（ステップＳ２１２）。続いて、緊急信号送信装置２０は、対象人物が救援されたり、送信が解除されたりしたか判定して、センシングデータを再度取得するか、否かを判断する（ステップＳ２１４）。ここで、緊急信号送信装置２０がセンシングデータを再取得すると判断した場合（ステップＳ２１４でＹｅｓ）、ステップＳ２００に戻り、センシングデータを取得する。この場合、取得する回数が増えるに従い、取得インターバルを短くしても良い。他方で、緊急信号送信装置２０がセンシングデータを再取得しないと判断した場合（ステップＳ２１４でＮｏ）、一連の処理を終了する。
【００３１】
図４は、通信装置１００の動作の流れを説明するフローチャートである。最初に、通信装置１００は、緊急信号送信装置２０から送られる通信信号を受信し（ステップＳ２５０）、受信した通信信号からフラグ情報を抽出して解析する（ステップＳ２５２）。続いて、通信装置１００は、解析したフラグ情報の内容を表示する（ステップＳ２５４）。次に、通信装置１００は、この通信装置１００を保持する保持者の行動に関する情報を取得する（ステップＳ２５６）。ここで、保持者がフラグ情報に対して何らかのアクションを行ったと判断した場合（ステップＳ２５８でＹｅｓ）、一連の処理を終了する。他方で、保持者がフラグ情報に対して何らかのアクションを行っていないと判断した場合（ステップＳ２５８でＮｏ）、通信装置１００は、緊急信号送信装置２０から送られたフラグ情報に加えて、更に緊急度を高めた情報を追加する（ステップＳ２６０）。続いて、通信装置１００は、追加したフラグ情報を他の通信装置１００に向けて送信し（ステップＳ２６２）、一連の処理を終了する。
【００３２】
図５は、上述した緊急通報システム１０上で救援を要請する情報の伝播を説明した図である。即ち、センシング装置５０Ａ，５０Ｂおよび緊急信号送信装置２０を装着した人物が、突然意識を失い倒れた場合、バイタル情報を取得するセンサが起動されて種々のバイタル情報が緊急信号送信装置２０に送られる。ここで、緊急通報システム１０が危険な状況であると判断し、フラグの情報が送信される。フラグ情報は、通信装置１００を備える複数の人物Ａ〜Ｃに受信される。図６（ａ）は、これらの人物Ａ〜Ｃが保持する通信装置１００に表示される情報内容であり、例えば、人物Ｃは、「すぐ向かう」ボタンを押下した後、倒れた人物のところに向かう。このようにして、救援を必要とする人物に対して、迅速な救援が可能になる。この場合、フラグ情報は、人物Ｃの通信装置１００から再送信されない。
他方で、人物ＡおよびＢは、何らかの理由で救援に向かえないような場合、人物ＡおよびＢが保持する通信装置１００は、救援対応が不可能であると判定し、他の通信装置１００に向けて、フラグ情報をバケツリレーのように再送信する。この結果、このフラグ情報は、通信装置１００を備える複数の人物Ｄ〜Ｇに受信される。図６（ｂ）は、これらの人物Ｄ〜Ｇが保持する通信装置１００に表示される情報内容である。このように再送信される場合には、最初の情報に加えて、より緊急度が高い情報が付加されて表示される。
【００３３】
同様にして、フラグ情報は、人物Ｄ〜Ｇの通信装置１００から他の通信装置１００に向けて再送信され、通信装置１００を備える人物やインフラＨ〜Ｋに受信される。このようにして、フラグ情報は分散して伝播し、最終的には、病院や交番にフラグ情報が伝わる。この場合、暗号化されたプライバシーに係わる情報は、これらの公的機関においては参照可能に設定されているため、救援を必要とする人物のより詳しい情報を伝えることができる。また、事件や事故の場合、通信装置１００を備える複数の人物に即座に伝えることができるため、より多くの目撃者の確保や、安全のための対策を取ることができる。更に、他の人物にも悪影響を与える災害等の場合、通信装置１００を備える複数の人物に、危険な状況であることを迅速かつ広範囲に伝えることができる。
【００３４】
以上述べた実施形態によれば、以下のような効果を奏する。
（１）センシング装置５０Ａのセンサ群６０Ａは、衝撃転倒検出センサ１５４が衝撃等を検出したのを契機に起動されるため、待機状態でのセンシング装置５０Ａの消費電力を低減できると共に、小容量のバッテリーで長時間使用できるため、センシング装置５０Ａの小型化や軽量化を図れる。
（２）通信装置１００は、近距離間で通信するため、通信装置１００の消費電力を低減できると共に、小容量のバッテリーで長時間使用できるため、通信装置１００の小型化や軽量化を図れる。
【００３５】
本発明の実施形態について、図面を参照して説明したが、具体的な構成は、この実施形態に限られるものではなく、本発明の要旨を逸脱しない範囲の設計変更等も含まれる。例えば、緊急信号送信装置２０や通信装置１００は、携帯電話や小型情報端末に組み込まれた様態であっても良い。
【図面の簡単な説明】
【００３６】
【図１】本発明の実施形態に係る緊急通報システムの機能構成を説明するブロック図。
【図２】センサ群の構成を示す図。
【図３】緊急信号送信装置の動作の流れを説明するフローチャート。
【図４】通信装置の動作の流れを説明するフローチャート。
【図５】緊急通報システムにおける情報の伝播を説明した図。
【図６】（ａ），（ｂ）は通信装置に表示される情報内容を示す図。
【符号の説明】
【００３７】
１０…緊急通報システム、２０…緊急信号送信装置、２２…送受信部、２４…センサ信号抽出部、２６…状況分析部、２８…データベース、３０…送信データ生成部、３２…送信部、３４…アンテナ、５０Ａ，５０Ｂ…センシング装置、６０Ａ，６０Ｂ…センサ群、８０Ａ，８０Ｂ…送受信部、１００…通信装置、１０２…送信部、１０４…受信部、１０６…判定部、１０８…操作部、１１０…センサ、１１２…解析部、１１４…データベース、１１６…表示データ作成部、１１８…表示部、１２０…アンテナ、１５０…基本センサ群、１５２…位置検出センサ、１５４…衝撃転倒検出センサ、１５６…時刻検出センサ、１６０…バイタル情報検出センサ群、１６２…心拍検出センサ、１６４…血圧検出センサ、１６６…心電検出センサ、１６８…血糖検出センサ、１７０…姿勢検出センサ、１７２…マイク、１７４…カメラ。
【図１】
2009301457.tif 000003
【図２】
2009301457.tif 000004
【図３】
2009301457.tif 000005
【図４】
2009301457.tif 000006
【図５】
2009301457.tif 000007
【図６】
2009301457.tif 000008